(57)【要約】【課題】位置を上下調整可能な液晶注入機ジグを提供する。【解決手段】主にジグは係合ボックス台、液晶注入台、液晶シャーレにより構成する。該係合ボックス台は液晶注入を待つガラスパネルを設置し、該係合ボックス台は調整板、該調整板上に設置する複数の係合ボックス組を含む。該係合ボックス組は上下２本のパネル分割棒と定位板により構成され、該パネル分割棒上にはガラスパネルを挟持可能な複数の分割槽を具える。該上パネル分割棒の両方の短い側はそれぞれ該定位板により挟持固設され、該定位板上には縦方向槽を設置する。該縦方向槽上には上下移動が可能な固定部品を設置し、該上パネル分割棒は設定位置に移動後、さらに該固定部品を利用し該定位板上において固定する。こうしてあらゆるサイズのガラスパネルに対応し、随時相互に隣り合ったパネル分割棒の上下位置を調整可能であるため、１セットのジグで様々なサイズのガラスパネルに対応することができる。【選択図】図２
0003118900.tif 000002
【実用新案登録請求の範囲】
【請求項１】
主にジグは係合ボックス台、液晶注入台、液晶シャーレにより構成し、該液晶注入台は該係合ボックス台の下方に位置し、該液晶注入台上の該係合ボックス台に対応する位置には液晶シャーレを設置し、液晶は該液晶シャーレより該係合ボックス台上に挟持されるガラスパネル内に注入され、
該係合ボックス台は調整板、複数の係合ボックス組を含み、該調整板上には水平方向槽を具え、該水平方向槽上には左右移動が可能な固定部品を穿設し、該複数の係合ボックス組は該係合ボックス台上において水平移動し定位後、さらに該調整板上の固定部品と固定し、各１個の係合ボックス組はパネル分割棒と定位板により構成され、該パネル分割棒上にはガラスパネルを挟持可能な分割槽を具え、該パネル分割棒の両方の短い側はそれぞれ該定位板により挟持固設され、該定位板上には上下方向槽を設置し、該上下方向槽上には固定部品を穿設し、こうして該パネル分割棒は設定位置まで上下移動後、さらに該固定部品により該定位板上において固定されることを特徴とする、位置を上下調整可能な液晶注入機ジグ。
【請求項２】
請求項１記載の位置を上下調整可能な液晶注入機ジグにおいて、前記係合ボックス組は上下２本のパネル分割棒を具え、上パネル分割棒の両方の短い側は該定位板上に設置され、下パネル分割棒の両方の短い側は該調整板上に直接固定されることを特徴とする、位置を上下調整可能な液晶注入機ジグ。
【請求項３】
請求項２記載の位置を上下調整可能な液晶注入機ジグにおいて、前記定位板は主に上板体、下板体、及び該上板体と該下板体に接続する連接部により構成し、該下板体の側面には設置空間を形成し、該下パネル分割棒の両方の短い側は該設置空間中に位置することを特徴とする、位置を上下調整可能な液晶注入機ジグ。
【考案の詳細な説明】
【技術分野】
【０００１】
本考案は一種の位置を上下調整可能な液晶注入機ジグに関する。特に一種のガラスパネルに液晶を注入し液晶ディスプレーパネルを形成する液晶注入機ジグで、異なるサイズのガラスパネルに対応し、随時ジグの係合ボックス組の位置を調整し、ガラスパネルの設置に対応可能な位置を上下調整可能な液晶注入機ジグに係る。
【背景技術】
【０００２】
液晶ディスプレーは最も急速に発展しているフラットディスプレーの一つである。内、ＬＣＤと略称される薄膜式トランジスター液晶ディスプレー(ＴＦＴ-ＬＣＤ)は上下２枚のガラスパネルを重ね合わせ形成するもので、１枚のガラスパネルはカラーフィルター(ＣＦ)で、もう１枚のガラスパネルはＴＦＴである。２枚のガラスパネルを一緒に重ね合わせ、いわゆる「ガラスパネル」を形成後、間に液晶を注入するが、液晶の注入方法には吸上注入式と滴下注入式の二種がある。
【０００３】
吸上注入式はガラスパネルをジグ内に設置し、注入口を下に向け液晶注入機の真空室内に入れ、注入口を液晶シャーレ中の液晶中に浸し、毛細現象と圧力差を利用し、液晶をガラスパネルの間隙中に注入するものである。
【０００４】
一方、滴下式はガラスパネルを重ね合わせる前にディスペンサーを利用し、適量の液晶をガラスパネル上に滴下させ、ＣＦとＴＦＴガラスパネルを重ね合わせ、続いてＴＦＴ上にドライバＩＣ及び印刷回路板を接着し、ガラスパネル全体を成型するものである。
この後、コンピュータメーカーなどに出荷し、各メーカーは必要な電子パーツやケースなどを組立て、液晶ディスプレーを完成させる。
【０００５】
上記のように公知方式では、２枚のガラスパネルを一体に重ね合わせた後、液晶注入機内に送り、液晶注入を行うが、特許文献１のような公知の液晶注入ジグ装置では、該各液晶パネルは液晶注入口を該各液晶パネルの第１側面に具え、該各液晶パネルは第２側面と第３側面を具え、該第２側面と該第３側面は該第１側面に隣接し、該液晶注入ジグ装置は少なくとも液晶パネル係合ボックス台、少なくとも１本の歯車状栓、液晶シャーレを含む。
該液晶パネル係合ボックス台は複数の固定側パネルを具え、該液晶パネルの第２側面と該第３側面に対応し配置する。該各固定側パネルは複数の分割第１突出片部を具え、該各液晶パネルを分割する。
該歯車状栓は該液晶パネルの第１側面に対応、配置し、主体と複数の第２突出部を含む。該第２突出部は該主体の該液晶パネルに向かった第１側面のエリア上に配置し、該第２突出部の２個の隣り合った第２突出部は挿入槽を形成し、それぞれ該液晶パネルを挿入設置する。
該液晶シャーレは該液晶パネル係合ボックス台の下方に配置し、液晶を入れる。
【０００６】
しかし、上記公知の液晶注入ジグの液晶パネル係合ボックス台は単一サイズのガラスパネルに液晶を注入することができるだけであるため、様々なサイズのガラスパネルに液晶を注入する必要がある時には、それぞれの規格の液晶注入ジグを準備し、それぞれのサイズのガラスパネルに対応する必要がある。
【０００７】
【特許文献１】台湾特許公告５９４１３２号明細書
【考案の開示】
【考案が解決しようとする課題】
【０００８】
本考案は下記の位置を上下調整可能な液晶注入機ジグを提供する。
それは主に上下調整可能な液晶注入機ジグを提供し、該ジグはガラスパネルを設置する係合ボックス台、液晶注入台、液晶シャーレを含み、
該係合ボックス台上には調整板と複数の該調整板上に設置する係合ボックス組を設置し、該係合ボックス組は上下パネル分割棒と定位板により構成し、該上下パネル分割棒上にはガラスパネルを挟持する複数個の分割槽を具え、該下パネル分割棒の両方の短い側はそれぞれ該調整板により挟持、固定され、該上パネル分割棒の両方の短い側はそれぞれ該定位板により挟持、固定され、該定位板上には上下方向槽を具え、該上下方向槽上に上下移動が可能な固定部品を穿設し、こうして該上パネル分割棒は設定位置に移動後、該固定部品を用い該定位板上で固定されることを特徴とする位置を上下調整可能な液晶注入機ジグである。
【課題を解決するための手段】
【０００９】
請求項１の考案は、主にジグは係合ボックス台、液晶注入台、液晶シャーレにより構成し、
該液晶注入台は該係合ボックス台の下方に位置し、該液晶注入台上の該係合ボックス台に対応する位置には液晶シャーレを設置し、液晶は該液晶シャーレより該係合ボックス台上に挟持されるガラスパネル内に注入され、 該係合ボックス台は調整板、複数の係合ボックス組を含み、 該調整板上には水平方向槽を具え、該水平方向槽上には左右移動が可能な固定部品を穿設し、 該複数の係合ボックス組は該係合ボックス台上において水平移動し定位後、さらに該調整板上の固定部品と固定し、各１個の係合ボックス組はパネル分割棒と定位板により構成され、該パネル分割棒上にはガラスパネルを挟持可能な分割槽を具え、該パネル分割棒の両方の短い側はそれぞれ該定位板により挟持固設され、該定位板上には上下方向槽を設置し、該上下方向槽上には固定部品を穿設し、こうして該パネル分割棒は設定位置まで上下移動後、さらに該固定部品により該定位板上において固定されることを特徴とする、位置を上下調整可能な液晶注入機ジグとしている。
請求項２の考案は、請求項１記載の位置を上下調整可能な液晶注入機ジグにおいて、前記係合ボックス組は上下２本のパネル分割棒を具え、上パネル分割棒の両方の短い側は該定位板上に設置され、下パネル分割棒の両方の短い側は該調整板上に直接固定されることを特徴とする、位置を上下調整可能な液晶注入機ジグとしている。
請求項３の考案は、請求項２記載の位置を上下調整可能な液晶注入機ジグにおいて、前記定位板は主に上板体、下板体、及び該上板体と該下板体に接続する連接部により構成し、該下板体の側面には設置空間を形成し、該下パネル分割棒の両方の短い側は該設置空間中に位置することを特徴とする、位置を上下調整可能な液晶注入機ジグとしている。
【考案の効果】
【００１０】
本考案のパネル分割棒は定位板上において固定位置を調整可能で、パネル分割棒の上下位置を変えることができるため、液晶注入機は１セットのジグを使用するだけであらゆるサイズのガラスパネルに対応可能である。すなわち複数セットのジグを用意する必要がなくなるため、全体的なコスト低下が可能で、同時にジグを交換する時間と係合ボックス台を製造するコストを節減することができる。
【考案を実施するための最良の形態】
【００１１】
図１に示すように、液晶注入機を利用し２枚のガラスパネル間に液晶を注入し、液晶ガラスディスプレーパネルを形成するが、液晶注入方法はジグ１００を液晶パネルに設置し、液晶を注入するものである。
該ジグ１００は係合ボックス台１０、液晶注入台２０、液晶シャーレ３０を含む。
該ジグ１００の液晶注入台２０は該係合ボックス台１０の下方に位置し、該液晶注入台２０上には２本のスライドレール２０１を設置する。該スライドレール２０１上には複数の移動可能で適当な距離に調整可能な定位台２０２を設置し、該２本のスライドレール２０１において相互に対応する２個の定位台２０２間には該液晶シャーレ３０を設置する。これにより、該液晶シャーレ３０は１組のガラスパネルの注入口にちょうど対応し、液晶は該液晶シャーレ３０より該係合ボックス台１０底部の中央部の空間を経由しガラスパネル内に注入される。なお該液晶注入台２０お呼びが液晶シャーレ３０は本考案の特徴ではないため、詳述しない。
【００１２】
次に図１、２に示すように、該係合ボックス台１０上にはフレーム１０１を設置し、該フレーム１０１上には調整板１と該調整板１上に設置する複数の係合ボックス組２を設置する。該調整板１上には水平方向槽１２を具え、該水平方向槽１２上には左右に水平移動が可能な固定部品１３を穿設する。該固定部品１３はネジで、こうして該数個の係合ボックス組２は該固定部品１３により該調整板１上において固定される。
該係合ボックス組２は上下２本のパネル分割棒２１、２２により構成され、該各分割棒２１、２２の両側面にはそれぞれ複数の分割板２１１、２２１により間隔を開けて形成される複数の分割槽２１２、２２２を設置する。こうして、左右両側の相互に隣り合った該係合ボックス組２の分割槽２１２、２２２上において液晶を注入するガラスパネル(図示なし)を挟持する。該係合ボックス組２の両方の短い側面にはそれぞれ定位板２３を設置し、該定位板２３は主に上板体２３１、下板体２３２、及び該上板体２３１と該下板体２３２に接続する連接部２３３により構成される。該下板体２３２の側面(すなわち、該上板体２３１の下側位置)には設置空間２３４を形成し、これにより下パネル分割棒２２を設置する。
また該上板体２３１上には縦方向槽２３５を設置し、該縦方向槽２３５上には固定部品２３６を穿設し、該固定部品２３６はネジで、これにより該上パネル分割棒２１は縦方向に設定位置まで移動後、該固定部品２３６により該定位板２３上において固定される。
【００１３】
本考案において、該調整板１上には目盛りを刻み(図示なし)、該下パネル分割棒２２上には相互に対応する中心対応線を標す(図示なし)。こうして、該下パネル分割棒２２を該調整板１上において固定する時、該下パネル分割棒２２上の中心対応線は該調整板１上の目盛りと正対応し、該下パネル分割棒２２は正確な位置に固定される。
【００１４】
また該定位板２３上には目盛りを刻み(図示なし)、該上パネル分割棒２１上には相互に対応する中心対応線を標す(図示なし)。こうして、該上パネル分割棒２１を該定位板２３上において固定する時、該上パネル分割棒２１上の中心対応線は該定位板２３上の目盛りと正対応し、該上パネル分割棒２１は正確な位置に固定される。
【００１５】
続いて図３に示すように、本考案において該調整板１上にはそれぞれ４個の係合ボックス組２を固定する。組合せ時には、該各１個の係合ボックス組２の上パネル分割棒２１は該固定部品２３６を利用し、該定位板２３の上板体２３１上に固定する。該下パネル分割棒２２の両側の短い方の側面は該定位板２３が設置する設置空間２３４中に位置し、これにより４個の係合ボックス組２の定位板２３の下板体２３２と下パネル分割棒２２は該調整板１上に密着する。さらに該調整板１の水平方向槽２２上の固定部品１３を利用し、該定位板２３の下板体２３２と該下パネル分割棒２２を固定し、該４個の係合ボックス組２の両端側面は該相互に対応する２枚の調整板１上に固設される。こうして、該係合ボックス組２は該調整板１により該係合ボックス台１０上に固設される。
【００１６】
本考案において、液晶注入を待つガラスパネルのサイズが異なり、該上パネル分割棒２１の縦方向位置を調整しようとする時には、該定位板２３の縦方向槽２３５上の固定部品２３６を緩め、該上パネル分割棒２１を上下に移動させ、該上パネル分割棒２１位置を調整し、該液晶注入を待つガラスパネルを挿入設置する。
【００１７】
一方、左右に隣り合った該係合ボックス組２の水平方向位置を調整しようとする時には、該調整板１の水平方向槽１２上の固定部品１３を緩め、該係合ボックス組２を左右に移動させ、２個の相互に隣り合った係合ボックス組２の水平方向位置を調整し、該液晶注入を待つガラスパネルを挿入設置する。これにより、該液晶注入を待つガラスパネルは左右２個の相互に隣り合った係合ボックス組２の分割槽２１２、２２２上において挟持される。
【００１８】
該係合ボックス台２上の上下パネル分割棒２１、２２は異なるサイズのガラスパネルに対応するため距離を調整する時には、該液晶注入台２０の定位台２０２はまた該スライドレール２０１上において距離をスライド調整し、該液晶シャーレ３０は非常に便利かつ迅速に該パネル分割棒２１、２２上のガラスパネルに照準を合わせることができる。
【００１９】
こうして、本考案は１セットのジグ１００を使用するだけで、液晶注入機は異なるサイズのガラスパネルに対応可能となり、多数のジグ１００を準備する必要がなくなる。よって全体的な生産コストは低下し、同時に該ジグ１００を交換するための時間を節約することができ、生産効率を向上させることができる。さらには該係合ボックス台１０を製作するコストをも節減可能である。
【図面の簡単な説明】
【００２０】
【図１】本考案液晶注入機ジグの立体外観図である。
【図２】本考案係合ボックス台の立体分解図である。
【図３】本考案係合ボックス台の立体外観図である。
【符号の説明】
【００２１】
１００  ジグ            １０  係合ボックス台
１０１  フレーム        １  調製板
１２  水平方向槽        １３、２３６  固定部品
２  係合ボックス組      ２１  上パネル分割棒
２２  下パネル分割棒    ２１１、２２１  分割板
２１２、２２２  分割槽  ２３  定位板
２３１  上板体          ２３２  下板体
２３３  連接部          ２３４  設置空間
２３５  上下方向槽      ２０  液晶注入台
２０１  スライドレール  ２０２  定位台
３０  液晶シャーレ
【図１】
0003118900.tif 000003
【図２】
0003118900.tif 000004
【図３】
0003118900.tif 000005